(57)【要約】【課題】停留場で搬器に電力を供給する場合に、電力供給側と蓄電池側との接触面を良好な状態に保つことのできる索道設備の電力供給装置を提供することを目的とする。【解決手段】停留場１１、１２において搬器１８の握索機２０が走行する走行レール１６、１７と、握索機２０の端部に備えたエンドローラー２２を誘導するコ字形状のガイドレール１９とを備えた索道設備において、ガイドレール１９の握索機２０側の側面に延設された給電レール２３と、握索機２０のエンドローラー２２付近に備えた集電子２４とを備え、集電子２４と給電レール２３が当接することにより搬器１８に給電するようにした。【選択図】図３
2020075594.tif 000002
【特許請求の範囲】
【請求項１】
停留場において搬器の握索機が走行する走行レールと、前記握索機の端部に備えたエンドローラーを誘導するコ字形状のガイドレールとを備えた索道設備において、前記ガイドレールの前記握索機側の側面に延設された給電レールと、前記握索機の前記エンドローラー付近に備えた集電子と、を備え、該集電子と前記給電レールが当接することにより搬器に給電することを特徴とする索道設備における電力供給装置。
【請求項２】
前記給電レールは、内部に電源レールを延設した溝を備え、前記集電子は、前記溝と嵌合するブラシを備えたことを特徴とする請求項１記載の索道設備における電力供給装置。
【発明の詳細な説明】
【技術分野】
【０００１】
本発明は、索道設備の停留場において、搬器に電力を供給する装置に関するものである。
【背景技術】
【０００２】
索道設備は、空中に張架した索条に搬器を懸垂し、人員や物資を運ぶ輸送設備であり、多くは山岳傾斜地における人員の移動手段や、スキー場におけるスキーヤーやスノーボーダーの移動手段として利用されている。また、索道設備は、鉄道等のように地上にレール等を敷設する必要がなく線路に要する用地が少なくてすむために、特に海外においては都市部の公共交通機関として運用されるようになってきている。
【０００３】
このように、都市部等においてゴンドラリフトやロープウェイのように閉鎖型搬器を運用する索道設備を、日常的な交通機関として運用するにあたっては、乗客の快適性を向上するために各搬器には空調装置や客車内の照明装置等を備えることが望ましい。しかしながら従来周知のように、索道設備においては線路中を移動する搬器へ電力を供給することが困難なことから、一般的には小型の蓄電池を搬器に備え、これを運行終了後に停留場において充電して使用しており、空調装置等の消費電力が大きな機器を搬器に備えることは困難であった。
【０００４】
このように運行終了後に充電を行うには、多数の搬器を運用するゴンドラリフト等においては多数の充電器が必要となり費用が嵩むことから、索道設備の運行中に停留場内で搬器が移動しながら蓄電池の充電を行うことが従来提案されている（例えば、特許文献１参照）。特許文献１に記載された技術は、搬器外面に取付けられ蓄電池に接続された充電用コネクタと、索道の途中に配置された停留所内に設けられ、搬器が停留所内を移動する間に充電用コネクタと接触する電気供給子と、電気供給子に接続された電源供給装置とを備え、搬器が停留場内を移動していても蓄電池の充電を行えるようにしている。
【先行技術文献】
【特許文献】
【０００５】
【特許文献１】特開平７−３１０６３号公報
【発明の概要】
【発明が解決しようとする課題】
【０００６】
上記のような従来技術においては、スパーク等のトラブルを防ぐために充電用コネクタと電気供給子との間には、埃やゴミ等が極力付着しないことが望ましい。本発明は、このような事情に鑑みてなされたものであって、電力供給側と蓄電池側との接触面を良好な状態に保つことのできる索道設備の電力供給装置を提供することを目的とする。
【課題を解決するための手段】
【０００７】
請求項１の発明は、停留場において搬器の握索機が走行する走行レールと、前記握索機の端部に備えたエンドローラーを誘導するコ字形状のガイドレールとを備えた索道設備において、前記ガイドレールの前記握索機側の側面に延設された給電レールと、前記握索機の前記エンドローラー付近に備えた集電子と、を備え、該集電子と前記給電レールが当接することにより搬器に給電することを特徴としている。
【０００８】
また、請求項２の発明は、請求項１に記載の索道設備の電力供給装置において、前記給電レールは、内部に電源レールを延設した溝を備え、前記集電子は、前記溝と嵌合するブラシを備えたことを特徴としている。
【発明の効果】
【０００９】
本発明によれば、給電レールをコ字形状のガイドレールの内側側面に設けたことにより、埃やゴミ等が給電レールに付着し辛くなり、ブラシと電源レールとの接触を良好に保つことができる。また、給電レールに溝を形成し、この溝にブラシが嵌合するようにしたことによりブラシと電源レールとの接触が確実になる。
【図面の簡単な説明】
【００１０】
【図１】自動循環式索道の模式図
【図２】停留場の一部を示した図
【図３】握索機の正面図
【図４】握索機の平面図
【発明を実施するための形態】
【００１１】
以下、本発明の具体的な実施の形態を図面を参照して説明する。本実施の形態においては、索道設備の代表例として自動循環式索道により説明を行う。図１は、自動循環式索道の模式図である。自動循環式索道１０は、線路の端部に停留場１１及び停留場１２を有しており、各停留場１１、１２には、原動滑車１３及び従動滑車１４を回転自在に備えている。原動滑車１３と従動滑車１４には、索条１５が無端状に巻き掛けられており、原動滑車１３を回転駆動することにより、索条１５は両停留場１１、１２間を循環して移動する。索条１５には、線路中で所定の間隔となるように複数の搬器１８が懸垂される。
【００１２】
搬器１８は索条１５に着脱自在であって、線路中では索条１５に取り付けられて索条１５とともに移動し、停留場１１、１２内では索条１５から切り離される。停留場１１、１２には、平面視Ｕ字状の走行レール１６及び走行レール１７がそれぞれ敷設されており、索条１５から切り離された搬器１８は、走行レール１６、１７に沿って次のように移動する。まず、停留場１１、１２に到着した搬器１８は、索条１５から切り離されるとともに、走行レール１６、１７に乗り移り、走行レール１６、１７に沿って設けられた移送装置により減速させられる。乗客が乗降可能な速度まで搬器１８が減速すると、その速度を保って停留場１１、１２内を出発側へ折返し、この間に乗客の乗降が行われる。出発側へ折り返した搬器１８は、索条１５の速度と同一速度にまで加速させられた後、索条１５に取り付けられるとともに走行レール１６、１７から離脱して線路中へ出発する。
【００１３】
図２は、停留場１１、１２の一部を示した図である。搬器１８の握索機２０には、走行レール１６、１７上を転動する走行ローラー２１を備えるとともに、走行ローラー２１とは反対側の端部にエンドローラー２２を備えている。エンドローラー２２の位置には、走行レール１６、１７の外周と平行してコ字形状のガイドレール１９が延設されており、これにより停留場１１、１２で進行する搬器１８の姿勢が一定に保たれる。ガイドレール１９の内側側面に沿っては、通電された給電レール２３が延設されており、一方、握索機２０には給電レール２３に接触する集電子２４を備えている。集電子２４には電線ケーブル２５が接続されており、電線ケーブル２５の他端は搬器１８内の蓄電池２６に接続されている。停留場１１、１２内においては、給電レール２３と集電子２４とが接触して搬器１８が移動し、この間に搬器１８側へ電力が供給され蓄電池２６が充電される。
【００１４】
図３は、握索機の正面図であり、図４は、握索機の平面図である。集電子２４は、ブラケット２７と、アーム２８と、ブラシ２９とを備えている。ブラケット２７は、握索機２０のエンドローラー２２取付部付近に一端部を固着されており、平面視においてガイドレール１９側へ斜めに突出している。ブラケット２７のガイドレール１９側の端部には、アーム２８が水平方向へ回動可能に枢支されている。アーム２８の先端部には、伝導体からなる複数のブラシ２９が搬器１８の移動する方向へ延伸する形状で取り付けられている。アーム２８の中間部とブラケット２７の先端部とには、バネ３０の端部がそれぞれ連結されており、これによりブラシ２９がガイドレール１９側方向へ回動するようにバネ力が付勢されている。
【００１５】
一方、ガイドレール１９の握索機２０側の側面には、給電レール２３を備えている。給電レール２３の握索機２０側には、集電子２４の各ブラシ２９に対応する位置に握索機２０の移動する方向に沿って溝３２が形成されており、各溝３２の底部には伝導体からなる電源レール３１が延設されている。各電源レール３１には電気が通電されており、溝３２にブラシ２９が嵌合するとともにブラシ２９と電源レール３１が当接して搬器１８側へ給電される。
【００１６】
以上の構成によれば、給電レール２３をコ字形状のガイドレール１９の内側側面に設けたことにより、給電レール２３の給電面が垂直面となって埃やゴミ等が給電面に付着し辛くなっており、ブラシ２９と電源レール３１との接触状態を良好に保つことができる。また、給電レール２３に溝３２を形成し、この内部に電源レール３１を延設したことにより、さらに埃やゴミ等が電源レール３１に付着し辛くなるとともに、溝３２にブラシ２９が嵌合することにより、ブラシ２９と電源レール３１との接触位置が特定の位置に保たれて接触が確実になる。また、本構成によれば、給電レール２３を取り付けるブラケット等を必要としないので、既存の設備にも容易に適用することができる。
【符号の説明】
【００１７】
１０  自動循環式索道
１１  停留場
１２  停留場
１３  原動滑車
１４  従動滑車
１５  索条
１６  走行レール
１７  走行レール
１８  搬器
１９  ガイドレール
２０  握索機
２１  走行ローラー
２２  エンドローラー
２３  給電レール
２４  集電子
２５  電線ケーブル
２６  蓄電池
２７  ブラケット
２８  アーム
２９  ブラシ
３０  バネ
３１  電源レール
３２  溝
【図１】
2020075594.tif 000003
【図２】
2020075594.tif 000004
【図３】
2020075594.tif 000005
【図４】
2020075594.tif 000006